【手続補正書】
【提出日】平成30年6月25日(2018.6.25)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信のための方法であって、
基地局から、無認可無線周波数スペクトル帯域中での送信のための送信機会に関連付けられたフレームフォーマットインジケータを受信することと、
前記フレームフォーマットインジケータに少なくとも一部基づいて、前記送信機会のための時分割複信（ＴＤＤ）構成を決定することと、
を備える方法。
【請求項２】
前記フレームフォーマットインジケータは、前記ＴＤＤ構成に関連付けられたコードワードを備える、請求項１に記載の方法。
【請求項３】
ビットストリーム中で前記フレームフォーマットインジケータを受信すること、ここにおいて、前記ビットストリームの長さは、前記コードワードの巡回拡張の回数によって決定される、
をさらに備える、請求項２に記載の方法。
【請求項４】
前記フレームフォーマットインジケータは、リソースブロック（ＲＢ）の少なくとも１つの拡大リソース要素グループ（ｅＲＥＧ）によって運ばれる、または、
前記フレームフォーマットインジケータは、第２の基地局からの第２のフレームフォーマットインジケータと多重化される、請求項１に記載の方法。
【請求項５】
前記送信機会のダウンリンクサブフレームの前に、直交周波数分割多重（ＯＦＤＭ）シンボル中で前記フレームフォーマットインジケータを受信することをさらに備える、または、
前記送信機会の第１のサブフレームの前に、前記フレームフォーマットインジケータを受信することをさらに備える、または、
前記送信機会の中間部分の間に、前記フレームフォーマットインジケータを受信することをさらに備える、または、
前記送信機会の第１のダウンリンクサブフレームの終了前に、前記フレームフォーマットインジケータを復号することをさらに備える、または、
前記送信機会のサブフレーム中に、第２のフレームフォーマットインジケータを受信すること、および、どのサブフレームで前記第２のフレームフォーマットインジケータが受信されるかに少なくとも一部基づいて、前記第２のフレームフォーマットインジケータを無効にすること、をさらに備える、
請求項１に記載の方法。
【請求項６】
前記ＴＤＤ構成は、１次セルからのクロスキャリアグラントに対応するアップリンクサブフレーム、自己スケジュールされたアップリンクグラントに対応するアップリンクサブフレーム、ダウンリンクサブフレームおよびアップリンクサブフレーム、またはそれらの組合せのうちの少なくとも１つを備える、請求項１に記載の方法。
【請求項７】
基地局におけるワイヤレス通信のための方法であって、
無認可無線周波数スペクトル帯域中での送信のための送信機会について時分割複信（ＴＤＤ）構成を決定することと、
ユーザ機器（ＵＥ）に、前記送信機会に関連付けられたフレームフォーマットインジケータを送信することと、前記フレームフォーマットインジケータは前記ＴＤＤ構成に少なくとも一部基づく、
を備える方法。
【請求項８】
前記フレームフォーマットインジケータは、前記ＴＤＤ構成に関連付けられたコードワードを備える、請求項７に記載の方法。
【請求項９】
前記コードワードを、基地局に関連付けられたシーケンスでスクランブルすることをさらに備える、請求項８に記載の方法。
【請求項１０】
前記スクランブルされたコードワードを、４位相シフトキーイング（ＱＰＳＫ）で変調することをさらに備える、請求項９に記載の方法。
【請求項１１】
前記コードワードを、２つのアンテナポートに関連付けられた空間周波数ブロックコード（ＳＦＢＣ）シンボルにマップすることをさらに備える、または、
前記コードワードを巡回的に数回拡張することと、前記フレームフォーマットインジケータをビットストリーム中で送信することと、ここにおいて、前記ビットストリームの長さは、前記コードワードの巡回拡張の前記回数によって決定される、をさらに備える、請求項８に記載の方法。
【請求項１２】
前記フレームフォーマットインジケータを、第２の基地局からの第２のフレームフォーマットインジケータと多重化することをさらに備える、または、
前記送信機会のダウンリンクサブフレームの前に、直交周波数分割多重（ＯＦＤＭ）シンボル中で前記フレームフォーマットインジケータを送信することをさらに備える、または、
前記送信機会の第１のサブフレームの前に、前記フレームフォーマットインジケータを送信することをさらに備える、または、
前記送信機会の中間部分の間に、前記フレームフォーマットインジケータを送信することをさらに備える、または
前記送信機会のサブフレーム中に、第２のフレームフォーマットインジケータを送信することをさらに備える、または、
拡張クリアチャネル評価（ｅＣＣＡ）を実行することと、前記ｅＣＣＡに少なくとも一部基づいて前記ＴＤＤ構成を決定することと、をさらに備える、
請求項７に記載の方法。
【請求項１３】
基地局におけるワイヤレス通信のための方法であって、
複数のＴＤＤ構成を識別することと、ここにおいて、前記複数のＴＤＤ構成の各々は、異なる数のアップリンクサブフレームおよびダウンリンクサブフレームを備える、
無認可無線周波数スペクトル帯域中での送信のための送信機会について、前記複数のＴＤＤ構成から利用可能ＴＤＤ構成を識別することと、ここにおいて、前記利用可能ＴＤＤ構成は、ユーザ機器（ＵＥ）に送信されるフレームフォーマットインジケータによって指示される、
を備える方法。
【請求項１４】
前記複数のＴＤＤ構成の各々は、１０個のサブフレームを備え、
前記複数のＴＤＤ構成の各々は、少なくとも１つの特殊サブフレームを備える、または、
前記複数のＴＤＤ構成の各々の第１のサブフレームは、ダウンリンクサブフレームを備える、または、
前記複数のＴＤＤ構成の各々の最終サブフレームは、特殊サブフレームを備える、または、
前記複数のＴＤＤ構成は、
１つのダウンリンクサブフレームと、第１の特殊サブフレームと、７つのアップリンクサブフレームと、第２の特殊サブフレームとを備える第１のＴＤＤ構成と、
２つのダウンリンクサブフレームと、第１の特殊サブフレームと、６つのアップリンクサブフレームと、第２の特殊サブフレームとを備える第２のＴＤＤ構成と、
３つのダウンリンクサブフレームと、第１の特殊サブフレームと、５つのアップリンクサブフレームと、第２の特殊サブフレームとを備える第３のＴＤＤ構成と、
４つのダウンリンクサブフレームと、第１の特殊サブフレームと、４つのアップリンクサブフレームと、第２の特殊サブフレームとを備える第４のＴＤＤ構成と、
５つのダウンリンクサブフレームと、第１の特殊サブフレームと、３つのアップリンクサブフレームと、第２の特殊サブフレームとを備える第５のＴＤＤ構成と、
６つのダウンリンクサブフレームと、第１の特殊サブフレームと、２つのアップリンクサブフレームと、第２の特殊サブフレームとを備える第６のＴＤＤ構成と、
７つのダウンリンクサブフレームと、第１の特殊サブフレームと、１つのアップリンクサブフレームと、第２の特殊サブフレームとを備える第７のＴＤＤ構成と、
９つのダウンリンクサブフレームと第２の特殊サブフレームとを備える第８のＴＤＤ構成と、を備える、
請求項１３に記載の方法。
【請求項１５】
請求項１−１４のうちのいずれか一項のステップを実行するように構成された手段を備える、ワイヤレス通信のための装置。